(57)【特許請求の範囲】
【請求項１】
本体と、前記本体の内部に収容された容器と、前記本体の上部に接続され前記容器を係止する上枠と、前記容器を加熱する加熱装置と、前記容器に一端を連通した導水管と、前記容器から前記導水管を介して外方に給湯する電動ポンプと、前記容器の上部の開口部を閉塞する蓋と、前記蓋と一体に設けた逆止弁と前記容器上部への通気弁とを備えた前記容器内を加圧する加圧装置と、前記加圧装置を動作させこの動作を伝達する伝達手段を備えた押し板と、前記伝達手段により前記電動ポンプを駆動させるスイッチを備え、前記押し板を押すと前記スイッチがオンして前記電動ポンプを駆動し、さらに前記押し板を押すと前記スイッチはオフして前記電動ポンプを停止し、さらに前記押し板を押すと前記加圧装置内の空気を注入する構成とした電気湯沸かし器。
【請求項２】
本体と、前記本体の内部に収容された容器と、前記本体の上部に接続され前記容器を係止する上枠と、前記容器を加熱する加熱装置と、前記容器に一端を連通した導水管と、前記容器から前記導水管を介して外方に給湯する電動ポンプと、前記容器の上部の開口部を閉塞する蓋と、前記蓋と一体に設けた逆止弁と前記容器上部への通気弁とを備えた前記容器内を加圧する加圧装置と、前記加圧装置を動作させこの動作を伝達する伝達手段を備えた押し板と、前記伝達手段により前記電動ポンプを駆動させるスイッチを備え、前記スイッチは、前記蓋に備えられた第１の電気接点と、前記上枠または前記本体に備えられた第２の電気接点とで構成し、前記第２の電気接点からの信号により前記電動ポンプを駆動する構成とした電気湯沸かし器。
【請求項３】
スイッチは蓋に内蔵する構成とした請求項１記載の電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来、この種の従来の電気湯沸かし器は図１１、図１２に示すものであった。１は上方を開口し上端部に外方にフランジ２を設けて底部に加熱装置であるヒータ３を備えた円筒状の容器である。４は中央に円筒状の保持部５を設けて容器１を係止する合成樹脂で形成された上枠であり、一端にヒンジ６が設けてある。７は合成樹脂で形成されて容器１を収納する水平断面が略四角状の本体であり、上枠４の下に位置して容器１を収容する。
【０００３】
８は容器１の上部を覆う合成樹脂で形成された蓋で、蓋８の一端に取り付けたピン９を上枠４のヒンジ６に嵌着して回転する。蓋８には容器１の上方に連通する蒸気口１０が設けられている。１１は蓋８の外周に備えられたシールパッキンで、蓋８の閉塞時容器１のフランジ２を略気密にシールする。
【０００４】
１２は容器１の底部に一端を連通し、他端を本体７外方に開口した透明なガラス管で形成された導水管１３に連通した電動ポンプである。電動ポンプ１２は略円筒のケーシング１４の中心位置に吸入口１５が設けてあり、円筒面の接線方向に送出口１６が設けてある。電動ポンプ１２は電動モータ（図示せず）で駆動される。
【０００５】
１７は容器１底部に設けた水の流入口であり、電動ポンプ１２を介して導水管１３に連通している。流入口１７にはフィルター１８が吸着保持されている。
【０００６】
１９は外部より電気を給電する接続部である。２０は容器１の底部略中央に接触して設けられた温度検知素子である。
【０００７】
２１は上枠４の前部に設けられた操作部で、操作部２１には保温温度を選択する保温温度選択スイッチ２２と、再沸騰させる再沸騰スイッチ２３と、電動ポンプ１２を操作する給湯スイッチ２４と、給湯スイッチ２４の動作を可能にするロック解除スイッチ２５と、ロック解除を示すロック解除ランプ２６と、通電を表示する電源ランプ２７と、選択した保温温度を表示する保温ランプ２８と、沸騰時に点灯する沸騰ランプ２９とを備えている。
【０００８】
保温温度選択スイッチ２２は１回押すごとに例えば６０度と８５度と９８度の保温温度を順次設定できる。再沸騰スイッチ２３は保温時に熱い熱湯がほしい時に押すとヒータ３に通電されて温度検知素子２０が沸騰を検知するまで加熱してヒータ３への通電を停止する。ロック解除スイッチ２５は一度押すと１０秒間ロック解除ランプ２６が点灯する。この１０秒間に再度押すとロック解除ランプ２６は消灯する。このロック解除ランプ２６が点灯している間に給湯スイッチ２４を押すと電動ポンプ１２が駆動される。給湯スイッチ２４から指を離すと電動ポンプ１２は停止する。ロック解除ランプ２６は指を離した時から１０秒後に消灯する。ロック解除ランプ２６が点灯している間に再度給湯スイッチ２４を押すと再度電動ポンプ１２が駆動されることとなる。
【０００９】
３０は温度検知素子２０からの信号でヒータ３への通電を制御するとともに操作部２１の保温温度選択スイッチ２２と、再沸騰スイッチ２３と、給湯スイッチ２４と、ロック解除スイッチ２５と、ロック解除ランプ２６と、電源ランプ２７と、保温ランプ２８と、沸騰ランプ２９とを制御する制御回路である。
【００１０】
３１は容器１の側面外周を覆うシリカ粉を樹脂フィルムなどで密封して減圧した円筒状の断熱板やガラス繊維等の不織布で形成された側面断熱材である。３２は蓋８に収納された発泡ポリプロピレンで形成された蓋断熱材である。
【００１１】
３３は蓋８の蒸気口１０内に備えられた転倒流出防止弁で、電気湯沸かし器が転倒すると蒸気口１０から湯が流出する前に蒸気口１０を閉塞して湯の電気湯沸かし器外への流出を防止する。
【００１２】
以上のように構成された電気湯沸かし器において、容器１に水を給水してピン９を軸にして蓋８を閉じる。容器１内に水が満たされるとともに、容器１の底部に連通した導水管１３にも電動ポンプ１２を介して水が浸入し、やがて容器１内と同じ水位になる。
【００１３】
次に、接続部１９から給電する。温度検知素子２０は容器１の底部を介して湯温を検知し、制御回路３０が温度検知素子２０からの信号でヒータ３へ通電して湯沸かしする。やがて水温が上昇し、沸騰すると温度検知素子２０がこれを検知して制御回路３０がヒータ３の通電を停止する。ヒータ３への通電を停止したときの湯温は摂氏１００度であり、以降は自然に放熱しながら約３０分後には約摂氏９８度になる。温度検知素子２０からの信号で制御回路３０はヒータ３への通電を制御して保温温度（約摂氏９８度）を維持する。容器１の側面には側面断熱材３１があり、蓋８には蓋断熱材３２が収納されていることで、保温時の消費電力は平均約３０Ｗ程度である。
【００１４】
導水管１３内に当初浸入していた水は湯沸かし中から保温状態にかけて徐徐に温度が上昇して比較的低温の湯になっている。
【００１５】
湯を所望のときは、操作部２１のロック解除スイッチ２５を押す。ロック解除ランプ２６が点灯している間に給湯スイッチ２４を押すと電動ポンプ１２が駆動されて容器１内の湯は導水管１３を介して給湯される。所望の湯が得られたら給湯スイッチ２４から指を離すと電動ポンプ１２は停止する。１０秒間はロック解除ランプ２６が点灯しているので、この間に再度湯を所望のときは給湯スイッチ２４を押すと電動ポンプ１２が再度駆動されて給湯される。ロック解除ランプ２６が消灯した後は当初のようにロック解除スイッチ２５を押してロック解除ランプ２６を点灯させてから給湯スイッチ２４を押すこととなる。
【００１６】
保温時に沸騰した熱湯が所望の場合は、再沸騰スイッチ２３を押すと沸騰ランプ２９が点灯して制御回路３０がヒータ３へ通電して容器１内の湯を加熱する。温度検知素子２０が沸騰を検知すると制御回路３０がヒータ３への通電を停止して沸騰ランプ２９を消灯する。
【００１７】
保温温度を設定する場合は、保温温度選択スイッチ２２を押して所望の保温温度を選択する。
【００１８】
湯が少なくなると容器１に給水する。温度検知素子２０からの信号で制御回路３０は沸騰ランプ２９を点灯しヒータ３に通電して湯を沸かし再び保温する。以上のように湯沸かしと保温と給湯とを繰り返して使用される。
【００１９】
【発明が解決しようとする課題】
しかしながら、前記のような従来の構成では、外部からの商用電源が接続されている間は電動ポンプ１２を駆動することで給湯できるが、電気湯沸かし器を屋外へ持ち出したときや、停電時に緊急に湯が必要な場合には電動ポンプ１２は駆動できないといった問題があった。
【００２０】
本発明は前記従来の課題を解決するもので、外部からの電源がなくても給湯できて、しかも操作は外部電源の有無に関係なく同じ操作でできる電気湯沸かし器を提供することを目的とする。
【００２１】
【課題を解決するための手段】
前記従来の課題を解決するため本発明の電気湯沸かし器は、本体と、容器と、上枠を一体化し、前記容器を加熱する加熱装置と、前記容器から導水管を介して外方に給湯する電動ポンプと、前記容器の開口部を閉塞する蓋と、前記蓋と一体に設けた逆止弁と前記容器上部への通気弁とを備えた前記容器内を加圧する加圧装置と、前記加圧装置への動作を伝達する伝達手段を備えた押し板と、前記伝達手段により前記電動ポンプを駆動させるスイッチを備え、前記押し板を押すと前記スイッチがオンして前記電動ポンプを駆動し、さらに前記押し板を押すと前記スイッチはオフして前記電動ポンプを停止し、さらに前記押し板を押すと前記加圧装置内の空気を注入する構成としたものである。これにより、外部からの電源の有無に関係なく自由に給湯できる。
【００２２】
【発明の実施の形態】
本発明の請求項１に記載の発明は、本体と、前記本体の内部に収容された容器と、前記本体の上部に接続され前記容器を係止する上枠と、前記容器を加熱する加熱装置と、前記容器に一端を連通した導水管と、前記容器から前記導水管を介して外方に給湯する電動ポンプと、前記容器の上部の開口部を閉塞する蓋と、前記蓋と一体に設けた逆止弁と前記容器上部への通気弁とを備えた前記容器内を加圧する加圧装置と、前記加圧装置を動作させこの動作を伝達する伝達手段を備えた押し板と、前記伝達手段により前記電動ポンプを駆動させるスイッチを備え、前記押し板を押すと前記スイッチがオンして前記電動ポンプを駆動し、さらに前記押し板を押すと前記スイッチはオフして前記電動ポンプを停止し、さらに前記押し板を押すと前記加圧装置内の空気を注入する構成としたことにより外部からの電源がなくても給湯でき、しかも操作は外部電源の有無に関係なく同じ操作でできる。
【００２３】
請求項２に記載の発明は、本体と、前記本体の内部に収容された容器と、前記本体の上部に接続され前記容器を係止する上枠と、前記容器を加熱する加熱装置と、前記容器に一端を連通した導水管と、前記容器から前記導水管を介して外方に給湯する電動ポンプと、前記容器の上部の開口部を閉塞する蓋と、前記蓋と一体に設けた逆止弁と前記容器上部への通気弁とを備えた前記容器内を加圧する加圧装置と、前記加圧装置を動作させこの動作を伝達する伝達手段を備えた押し板と、前記伝達手段により前記電動ポンプを駆動させるスイッチを備え、前記スイッチは、前記蓋に備えられた第１の電気接点と、前記上枠または前記本体に備えられた第２の電気接点とで構成し、前記第２の電気接点からの信号により前記電動ポンプを駆動する構成としたことにより、電気信号を第１の電気接点と第２の電気接点とで確実に伝達できる。
【００２４】
請求項３に記載の発明は、請求項１記載の構成に於いてスイッチは蓋に内蔵する構成としたことにより、蓋のユニット化ができて組立性が良くなる。
【００２５】
【実施例】
（実施例１）
以下に本発明の実施例１について、図１から図３を参照しながら説明する。図に於いて従来の技術と同一の形状と機能である構成要素は、同一の名称と符号を使用して説明は省略する。図１は本実施例の電気湯沸かし器の全体構成を示す断面図、図２は電動ポンプ用のスイッチの作動中の状態を示す要部断面図、図３は加圧装置が作動中の状態を示す要部断面図である。
【００２６】
図に於いて、４０は容器１の上部を閉塞する蓋である。蓋４０は外蓋４１と中蓋４２と蓋カバー４３とを備えている。４４は容器１上部と外方を貫通孔４５を介して容器１の上方へ連通する蒸気口である。蒸気口４４の上流途中にはステンレス鋼球で形成された転倒流出防止弁４６が備えられている。蓋４０中央には略円形の加圧装置である加圧ポンプ４７が設けられている。
【００２７】
加圧ポンプ４７には上下動する蛇腹部４８と、上部には爪４９で係合して第１のばね５０で上方向に付勢されて、通常は加圧ポンプ４７内と外気とを連通している逆止弁５１が備えてある。５２は加圧ポンプ４７の下方に位置して第１のばね５０の下端が当接する昇降軸であり、下端にはシリコンゴム製の通気弁５３が備えられている。５４は蛇腹部４８の上部に一体に形成された天板であり、この天板５４が上下すると蛇腹部４８が連動して上下動する。天板５４は第２のばね５５の上端で上方向に付勢されている。第２の付勢ばね５５の下端は中蓋４２に接している。
【００２８】
第１のばね５０と第２のばね５５とでは、第２のばね５５のほうが強い。従って、押し板５６を若干押すと、第２のばね５５に付勢された天板５４が降下する前に、第１のばね５０が圧縮されて逆止弁５１が押し込まれることとなる。
【００２９】
また、逆に押し板５６が押し込まれている状態から手を離す場合は、第２のばね５５に付勢された天板５４と押し板５６に挟まれる状態で逆止弁５１は最後まで天板５４との気密性を維持するとともに、通気弁５３による貫通穴４５と加圧ポンプ４７内の連通を維持し容器１上部と外気との遮断状態を維持することとなる。
【００３０】
昇降軸５２は天板５４に係止されているので第２のばね５５に押されて上方向に付勢されている天板５４に引き上げられていることとなる。通気弁５３は昇降軸５２の下端に備えられているので通気弁５３も上方に引き上げられている。通気弁５３は通常中蓋４２下面に接していて加圧ポンプ４７内と容器１上部は遮蔽されている。通常蒸気口４４は貫通穴４５を介して容器１上方と連通している。通常加圧ポンプ４７内と容器１上方は通気弁５３によって遮断されている。
【００３１】
５６は天板５４上に位置する逆止弁５１を上から押す押し板である。押し板５６は上面５７が略平面で外周を略円筒の縦壁５８で形成されている。押し板５６を押すと、まず逆止弁５１を押して、逆止弁５１は天板５４上面５７を気密的に閉塞する。さらに逆止弁５１を押すと、通気弁５３が貫通穴４５を蒸気口４４から遮断すると同時に、蒸気口４４と容器１上方とを遮断する。さらに通気弁５３は昇降軸５２から貫通穴４５を通して加圧ポンプ４７内の空気を容器１上部に圧送する。
【００３２】
手を押し板５６から離すと、天板５４は第２のばね５５によって押し上げられる。天板５４に係止されている昇降軸５２も第２のばね５５により上方に移動するので、昇降軸５２の下端に備えられた通気弁５３は貫通穴４５から離脱する。従って蒸気口４４と容器１上方とは連通することとなる。つまり、通気弁５３は上方に移動して中蓋４２下面に接して貫通穴４５を開放するとともに加圧ポンプ４７内と容器１上部とを遮蔽する。第１のばね５０の付勢により逆止弁５１は天板５４から離脱して加圧ポンプ４７内と天板５４外方とを連通に戻す。
【００３３】
５９は押し板５６に一体に備えられて押し板５６の上下動に連動する伝達手段であるアームである。６０はアーム５９が駆動するスイッチであるマイクロスイッチであり、オンすると電動ポンプ１２を駆動する。通常時は、アーム５９はマイクロスイッチ６０のわずかに上方に位置していてマイクロスイッチ６０はオフしている（図１）。押し板５６を若干（具体的には１ｍｍ）押すと逆止弁５１を作動させて加圧ポンプ４７の上部を気密的に閉塞する。このとき通気弁５３は加圧ポンプ４７内と容器１上部を遮蔽して蒸気口４４は貫通穴４５を介して容器１上部と連通している。このときはまだアーム５９はマイクロスイッチ６０を駆動していない。
【００３４】
押し板５６をさらに押す（さらに１ｍｍ）とマイクロスイッチ６０がオンして電動ポンプ１２を駆動する（図２）。さらに押し板５６を押す（１ｍｍ）とマイクロスイッチ６０はオフして電動ポンプ１２を停止する。さらに押し板５６を押す（１ｍｍ）と通気弁５３が加圧ポンプ４７内と貫通穴４５を連通して容器１上方に加圧ポンプ４７内の空気を注入する（図３）。このとき通気弁５３は貫通穴４５と加圧ポンプ４７内とを連通する一方で、外方と容器１内とは遮蔽する。さらに押し板５６を押すと加圧ポンプ４７内の空気が容器１上部に圧送される。容器１内に圧送された空気により容器１内の湯は導水管１３を介して外方に給湯される。
【００３５】
６１は蓋４０に備えられた機械式のロック解除装置であり、左右に摺動する。ロックを解除すると押し板５６が上下動自在となり、ロックすると押し板５６は上下動できなくなる。
【００３６】
３０は制御回路であり、加熱装置であるヒータ３、電動ポンプ１２のモータ（図示せず）、温度検知素子２０等を制御する。
【００３７】
押し板５６とアーム５９とで加圧ポンプ４７の上下動をスイッチであるマイクロスイッチ６０に伝達する伝達手段を構成している。
【００３８】
以上のように構成された電気湯沸かし器において、その動作を説明する。
【００３９】
容器１に水を入れる。容器１内の水は電動ポンプ１２を通って導水管１３内に浸入する。次に接続部１９から電気を供給する。やがて沸騰すると湯温の変化率から制御回路３０は沸騰を検知してヒータ３への通電を停止する。
【００４０】
沸騰検知以降は容器１内の温度を検知する温度検知素子２０からの信号により制御回路３０がヒータ３への通電を制御して所定の温度に保温する。
【００４１】
湯を所望の場合はロック解除装置６１を操作してロックを解除し、押し板５６を若干押す。押し板５６に連動するアーム５９が降下してマイクロスイッチ６０をオンする。このとき第２のばね５５が若干圧縮されている。マイクロスイッチ６０により電動ポンプ１２が駆動される。容器１内の湯は導水管１３を介して外方に給湯される。所望の湯が得られたら押し板５６から手を離す。押し板５６は若干圧縮された第２のばね５５の反発力により押し返されて元の位置に復帰する。押し板５６に連動するアーム５９はマイクロスイッチ６０をオフするので電動ポンプ１２は停止する。
【００４２】
仮に押し板５６をさらに押した場合は、アーム５９はマイクロスイッチ６０から離れてマイクロスイッチ６０はオフし、電動ポンプ１２は停止する。さらに押し板５６を押すと通気弁５３も作動して加圧ポンプ４７内の空気を容器１上方に圧送することとなり、容器１内の湯は導水管１３を介して外方に給湯されることとなる。
【００４３】
外部電源がない場合は、例えば接続部１９から給電できないような屋外に持ち出した場合または停電で外部電源が使用できない場合は、ロック解除装置６１のロックを解除して押し板５６をそのまま押す。マイクロスイッチ６０はアーム５９によりオンやオフするが、遠心ポンプ１２は電源がないので作動しない。
【００４４】
一方、加圧ポンプ４７は逆止弁５１と通気弁５３との動作で押すたびに容器１上部に空気を圧送するので容器１内の湯はこの空気圧に押されて導水管１３を通って外方に給湯される。
【００４５】
以上のように本実施例によれば、外部電源が接続されていてもいなくても、同じ押し板５６を操作することで給湯することができる。しかも外部電源が接続されているときは電動ポンプ１２でも加圧ポンプ４７でも給湯することができる。
【００４６】
また、アーム５９が最初マイクロスイッチ６０をオフ状態にして操作により若干押されると電動ポンプ１２を駆動することで、外部電源が接続されている場合は押し板５６を操作することで給湯することができる。さらに、アーム５９がマイクロスイッチ６０をオンしてさらに押すとマイクロスイッチ６０をオフすることで、連続した操作で電動ポンプ１２を停止する一方で加圧ポンプ４７を操作することができ、外部電源が接続されていても接続されていなくても押し板５６を操作することで給湯できる。
【００４７】
（実施例２）
以下に本発明の実施例２について、図４、図５を参照しながら説明する。実施例１と同一の機能の構成要素は、同一の名称と符号を使用する。図４は実施例２の要部分解斜視図、図５は同断面図である。以下実施例１と異なるところを説明する。
【００４８】
図に於いて５９は押し板５６の下部に伸設されたアームであり、押し板５６の上下動に連動して上下動する。７２はアーム５９の先端に下向きに伸設された凸部である。押し板５６とアーム５９と凸部７２とは合成樹脂で一体的に形成されている。７３は中蓋４２に設けられた通過穴であり、凸部７２が押し板５６の下降時に通過する。
【００４９】
通過穴７３の下には上枠４に設けられた押し穴７６があり、シリコンゴムで形成されたベローズ７７に防水機能を持たせてケース７８でベローズ７７の外周を防水しながら固定してある。ベローズ７７は凸部７２に押されるとそのゴム弾性により変形しながら下降する。７９はベローズ７７の下部に備えられた押しばねである。押しばね７９は上部を保持キャップ８０により挫屈を防止しながらベローズ７７に支えられて上下に連動する。押しばね７９の下端は連結軸８１の円周部８２に接している。押しばね７９は通常ほぼ自然長の状態で備えられているので連結軸８１を付勢することはない。連結軸８１の円周部８２下面には付勢ばね８３が備えてある。付勢ばね８３は押しばね７９よりばね係数の小さいばねであり、設定荷重も押しばね７９より小さい値である。付勢ばね８３は連結軸８１と押しばね７９と保持キャップ８０とを支えるばねである。つまり、連結軸８１は付勢ばね８３で通常上方向に付勢されている。連結軸８１の下端はケース７８の下面中央に開けられた操作穴８４を通過して操作穴８４の下に位置するスイッチであるマイクロスイッチ６０を押してオンとオフの操作を行う。連結軸８１は伝達軸を形成している。
【００５０】
ベローズ７７と押しばね７９と保持キャップ８０と連結軸８１と付勢ばね８３とケース７８とで、スイッチであるマイクロスイッチ６０とアーム５９の凸部７２の間に備えた圧縮自在の伝達手段を形成する。
【００５１】
以上のように構成された電気湯沸かし器において、給湯時の動作について説明する。押し板５６を押すと、アーム５９を介して凸部７２が押し板５６に連動して下降する。凸部７２はベローズ７７を押す。ベローズ７７と保持キャップ８０は押しばね７９を押すが、ここで押しばね７９の押す力は連結軸８１を介して付勢ばね８３に伝わる。付勢ばね８３は押しばね７９よりばね係数が小さいので最初に付勢ばね８３が圧縮される。このとき連結軸８１は下降してマイクロスイッチ６０を動作させる。
【００５２】
ここでマイクロスイッチ６０が作動するタイミングについて、まず押し板５６が約２ｍｍ程度下降した位置でベローズ７７が移動し始める。このとき逆止弁５１は動作していない。
【００５３】
次に、さらに２ｍｍ押し板が下降すると、この間に逆止弁５１が作動して加圧ポンプ４７の上部を閉塞する。次に合計４ｍｍ下降した押し板５６により、付勢ばね８３は圧縮されて連結軸８１が下降してマイクロスイッチ６０を作動させて電動ポンプ１２を駆動する。押し板５６をさらに下降させると、アーム５９と凸部７２が連動して下降する。連結軸８１は付勢ばね８３を押し切っていてケース７８の下端に押し当てられているのでこれ以上下降しない。凸部７２の下降により次に押しばね７９が圧縮される。押し板５６が最下点に下降するまで押しばね７９が圧縮されることとなる。押しばね７９が圧縮されている間は押しばね７９による付勢で連結軸８１はマイクロスイッチ６０を押し続ける。従ってマイクロスイッチ６０は最初に作動してから押し板５６が最下点に達するまで作動し続けることとなり、電動ポンプ１２が駆動され続ける。押し板５６から手を離せば加圧ポンプ４７は第１のばね５０と第２のばね５５とで上方に押されて通常の位置に復帰する。これに連動して押しばね７９と付勢ばね８３への力もなくなり、まず押しばね７９が伸びて保持キャップ８０を介してベローズ７７を押し上げる。次に付勢ばね８３が伸びて連結軸８１を押し上げる。連結軸８１が上昇するときマイクロスイッチ６０は作動を停止することとなり、電動ポンプ１２は停止する。
【００５４】
これにより外部電源があるときは、押し板５６を押すことで、電動ポンプ１２を駆動して給湯し、しかも押し板５６が下降する任意の深さでも常に電動ポンプ１２を駆動し続けることが出来る。外部電源がないときは加圧ポンプ４７で給湯することが出来る。
【００５５】
また、押し板５６を最初の２ｍｍ押しても電動ポンプ１２は動作せず、誤操作で押し板５６に触れることがあっても、熱湯があやまって給湯されることはない。
【００５６】
さらに、逆止弁５１が作動して加圧ポンプ４７の上部を閉塞してから通気弁５３が作動するまでの間に電動ポンプ１２が駆動されることで、加圧ポンプ４７が作動する前に電動ポンプ１２を駆動することができ、加圧ポンプ４７による給湯と電動ポンプ１２による給湯の開始タイミングを明確に分けることができる。従って、まず電動ポンプ１２を駆動して給湯し、外部電源がない場合は電動ポンプ１２は駆動されないので次に加圧ポンプ４７により給湯されることとなる。これにより同じ押し板５６操作により外部電源の有無に関わらず給湯することができる。
【００５７】
（実施例３）
以下に本発明の実施例３について、図６を参照しながら説明する。実施例１と同じ機能である構成要素は、同一の名称と符号を使用する。図６は実施例３の電気湯沸かし器の要部分解斜視図である。以下実施例１と異なるところを説明する。
【００５８】
図に於いて、５９は押し板５６から伸設したアームであり、押し板５６の上下動に連動する。９２はアーム５９の先端に取り付けられた金属製の導電板である。導電板９２はその断面が略Ｓ字状であり、ばね性を有した金属材料で形成されている。導電板９２の下端には第１の電気接点を形成する２個の接点９３が下向きに固定されている。９４は中蓋４２に設けられた穴部である。導電板９２がアーム５９に連動して下降したときに接点９３が下方に通過する。９５は上枠４に設けられた端子穴である。端子穴９５には制御基板３０に電気的に接続された第２の電気接点を形成する受け端子９７が２個備えられている。受け端子９７は絶縁板９８に取り付けられている。
【００５９】
以上のように構成された電気湯沸かし器において、その動作を説明する。
【００６０】
押し板５６と連動してアーム５９が下降すると、導電板９２も下降する。押し板５６が２ｍｍ下降したら逆止弁５１が作動し加圧ポンプ４７の上部を閉塞する。次に通気弁５３が作動する前に接点９３が受け端子９７に接触する。制御基板３０はこの信号を受けて電動ポンプ１２を駆動する。押し板５６をさらに押すと、アーム５９はさらに下降する。このとき導電板９２は断面Ｓ字状を圧縮しながら接点９３を受け端子９７に接触させた状態を維持している。従って電動ポンプ１２は連続して駆動されている。押し板５６から手を離すと加圧ポンプ４７と押し板５６は第１のばね５０と第２のばね５５とにより上昇する。このとき押し板５６と連動するアーム５９も上昇するので導電板９２も上昇する。従って導電板９２の圧縮も緩和されてやがて接点９３が受け端子９７から離れる。このとき制御基板３０は受け端子９７からの信号を受けて電動ポンプ１２を停止する。
【００６１】
これにより外部電源があるときは、押し板５６を押すことで、電動ポンプ１２を駆動して給湯し、しかも押し板５６が下降する任意の深さでも常に電動ポンプ１２を駆動し続けることが出来る。外部電源がないときは加圧ポンプ４７で給湯することが出来る。
【００６２】
また、押し板５６を最初の２ｍｍ押しても電動ポンプ１２は動作せず、誤操作で押し板５６に触れることがあっても、熱湯が誤って給湯されることはない。
【００６３】
さらに、逆止弁５１が作動して加圧ポンプ４７の上部を閉塞してから通気弁５３が作動するまでの間に電動ポンプ１２が駆動されることで、加圧ポンプ４７が作動する前に電動ポンプ１２を駆動することができ、加圧ポンプ４７による給湯と電動ポンプ１２による給湯の開始タイミングを明確に分けることができる。従って、まず電動ポンプ１２を駆動して給湯し、外部電源がない場合には電動ポンプ４７は駆動されないので次に加圧ポンプ４７により給湯されることとなる。これにより同じ押し板５６の操作により外部電源の有無に関わらず給湯することができる。
【００６４】
（参考例１）
以下に本発明の参考例１について、図７を参照しながら説明する。図７は参考例１の電気湯沸かし器を説明する要部の分解斜視図である。実施例１と同じ機能の構成要素は同一の名称と符号を使用する。以下実施例１と異なるところを説明する。
【００６５】
１００は、押し板５６から伸設したアーム５７に取り付けられた主として磁石で構成する磁石部である。１０３は一定の強さの磁力がかかると磁力の強さや磁力の変化によって作動する磁石や強磁性体やホール素子等で形成された磁気変換部である。磁気変換部１０３は磁石部１００の動作を電気信号に変換する。磁気変換部１０３からの電気信号は制御基板３０に送られて電動ポンプ１２を制御する。磁石部１００は押し板５６に連動するアーム５７が下降すると磁気変換部１０３に接近するため磁気変換部１０３が受ける磁気の強さは増加する。磁気変換部１０３の作動は所定の磁気の強さ以上を検知すると作動するものであり、従って磁石部１００が所定の距離に接近すると制御基板６２へ電気信号を送る。磁気変換部１０３の反応を押し板５６が３ｍｍ下降したときに作動するように設定しておく。押し板５６が２ｍｍ下降したときに逆止弁５１が加圧ポンプ４７の上部を閉塞し、さらに押し板５６が下降すると磁気変換部１０３が作動して電動ポンプ１２を駆動する。さらに押し板５６を下降させたときに通気弁５３が作動する。
【００６６】
押し板５６から手を離すと、第１のばね５０と第２のばね５５との動作で押し板５６は初期の位置に押し戻される。このとき磁石部１０３も上昇するので磁気変換部１０３から離れて磁気変換部１０３が検知する磁気が弱くなる。押し板５６を２ｍｍ押した位置まで上昇すると磁気変換部１０３は電気信号を制御基板３０に送り、制御基板３０は電動ポンプ１２を停止する。
【００６７】
以上のように構成された電気湯沸かし器において、その動作を説明する。
【００６８】
押し板５６を２ｍｍ下降させると、磁石部１００が磁気変換部１０３に接近して制御基板６２が電動ポンプ１２を駆動する。押し板５６から手を離すと磁石部１００は押し板５６と連動して上昇し、所定の磁気の強さを境に磁気変換部１０３は信号を制御基板３０に送り電動ポンプ１２を停止する。
【００６９】
以上のように実施例４によれば、外部電源が接続されていても接続されていなくても、同じ押し板５６を操作することで給湯することができる。
【００７０】
（参考例２）
以下に本発明の参考例２について、図８、図９を参照しながら説明する。図８は参考例２の電気湯沸かし器を説明する要部の分解斜視図、図９は同要部断面図である。実施例１と同じ機能である構成要素は同一の名称と符号を使用する。以下実施例１と異なるところを説明する。
【００７１】
５９は押し板５６に伸設されたアームであり、１１２はアーム５９から下方向に伸設した光制御部を形成する遮光部である。１１３は発光ダイオードであり、受光ダイオード１１４と向かい合ってプリント基板１１５に電気的に取り付けられている。発光ダイオード１１３と受光ダイオード１１４とで光信号変換部を形成している。
【００７２】
３０は発光ダイオード１１３の制御と受光ダイオード１１４からの信号を制御する制御基板である。
【００７３】
押し板５６の下降に連動してアーム５９に取り付けられた遮光部１１２が発光ダイオード１１３と受光ダイオード１１４との間に下降し、光を遮断すると、受光ダイオード１１３からの信号で制御基板３０は電動ポンプ１２を駆動する。また、遮光部１１２が発光ダイオード１１３の光を遮断しない場合は、制御基板３０は電動ポンプ１２の駆動を停止する。
【００７４】
１１７は蓋４０を閉じたときに遮光部１１２が侵入する透明な合成樹脂（たとえばポロカーボネート樹脂等）で形成された収納部である。発光ダイオード１１３の光はこの収納部１１７を透過する。遮光部１１２が発光ダイオード１１３の光を遮断してから蓋４０を閉じきるまで遮光部１１２は常に発光ダイオード１１３の光を遮断することとなる。
【００７５】
遮光部１１２が発光ダイオード１１３の光を遮断するタイミングを押し板５６を２ｍｍ下降させた位置に設定しておく。押し板５６を２ｍｍ下降させたときに逆止弁５１が作動して加圧ポンプ４７の上部を閉塞する。
【００７６】
以上のように構成された電気湯沸かし器において、その動作を説明する。
【００７７】
押し板５６を２ｍｍ下降させると、遮光部１１２が発光ダイオード１１３の光を遮断して受光ダイオード１１４の信号により制御基板３０が電動ポンプ１２を駆動する。押し板５６から手を離すと遮光部１１２は押し板５６と連動して上昇し、遮断されていた発光ダイオード１１３の光が受光ダイオード１１４に到達し、受光ダイオード１１４の信号により制御基板６２は電動ポンプ１２を停止する。
【００７８】
以上のように実施例５によれば、外部電源が接続されていても接続されていなくても、同じ押し板５６を操作することで給湯することができる。
【００７９】
（参考例３）
以下に本発明の参考例３について、図１０を参照しながら説明する。図１０は参考例３の電気湯沸かし器を説明する要部の分解斜視図である。実施例１と同じ機能である構成要素には同一の名称と符号を使用する。以下実施例１と異なるところを説明する。
【００８０】
５９は押し板５６から水平方向に伸設されたアームであり、１２２はアーム５９に取り付けられた誘電部材で形成された変調部である。変調部１２２はアーム５９の上下動に連動して上下動する。１２３は上枠４内に備えられた金属性の第１の電極であり、第２の電極１２４と並べて配設されている。第１の電極１２３と第２の電極１２４とで静電容量部１２５を形成している。加圧ポンプ４７の上下動に連動して変調部１２２が蓋４０の中で上下動すると、本体７内の静電容量部１２５と変調部１２２との距離が変化する。３０は制御基板であり、静電容量部１２５の静電容量を常に測定している。制御基板３０は静電容量部１２５の共振周波数の変化を検知し、特定の周波数になると電動ポンプ１２を駆動し始める。また、特定の周波数を検知するときに共振周波数が増加しているのか減少しているのかも合わせて検知する。
【００８１】
電極間に誘電体を配置して交流電圧を印加すると特定の周波数で共振する性質を利用して静電容量部１２５に順次周波数の異なる交流を印加し、その静電容量を知ることが出来る。一般に静電容量が小さいと共振周波数は高くなり、静電容量が大きいと共振周波数は低くなる。
【００８２】
変調部１２２と静電容量部１２５との距離を変化させることで静電容量部１２５の静電容量が変化し、共振周波数が変化することから、加圧ポンプ４７の上下動に連動する変調部１２２の移動距離により、静電容量部１２５の静電容量が変化する。加圧ポンプ４７が初期の状態の場合には変調部１２２は静電容量部１２５から距離があり従って静電容量部１２５の静電容量は比較的小さく共振周波数は高い。加圧ポンプ４７を操作して変調部１２２が静電容量部１２５に接近すると静電容量部１２５の静電容量は増加して共振周波数は比較的低くなる。
【００８３】
以上のように構成された電気湯沸かし器において、その動作を説明する。
【００８４】
押し板５６を操作して加圧ポンプ４７を作動させるとき、最初の２ｍｍの操作時に、静電容量部１２５の所定の共振周波数を制御基板３０が検知して電動ポンプ１２を駆動する。このとき共振周波数は減少する変化を示す。さらに押し板５６を押しても共振周波数は減少するのみであり、制御基板３０は電動ポンプ１２を駆動し続けることとなる。押し板５６から手を離すと変調部１２２は静電容量部１２５から離れるので静電容量部１２５の静電容量は小さくなり従って共振周波数は高くなる。押し板５６が初期の位置に戻る２ｍｍ手前の位置での静電容量部１２５の共振周波数になると制御基板３０は電動ポンプ１２の駆動を停止する。このとき静電容量は減少し共振周波数は増加している。制御基板３０はこの変化と共振周波数の値から電動ポンプ１２の駆動の停止を判断する。
【００８５】
また、押し板５６が２ｍｍ押された位置では逆止弁５１は作動して加圧ポンプ４７の上部は閉塞されている。押し板５６が４ｍｍ押されると通気弁５３が作動することとなる。
【００８６】
以上のように実施例６によれば、第１に本体７内に静電容量部１２５を内蔵し、蓋４０内に変調部１２２を内蔵することで蓋４０と本体７との配線をする必要がなく、第２に静電容量部１２５を本体７の外部へ露出する必要がなく水を使用する機器において漏電等の防止が可能である。第３に外部電源が接続されていても接続されていなくても、同じ押し板５６を操作することで給湯することができる。
【００８７】
なお、実施例１のロック解除装置６１は機構式にしたが、電子式にして制御回路３０で制御しても良い。
【００８８】
また、アーム５９は押し板５６に備えられて押し板５６と連動する機構であればその形状は凸形状や逆に凹形状等でも良く、要は押し板５６に連動してマイクロスイッチ６０を作動させれば良い。
【００８９】
【発明の効果】
以上のように本発明の電気湯沸かし器によれば、外部からの電源がなくても確実に給湯できて、しかも操作は外部電源の有無に関係なく同じ操作でできる電気湯沸かし器を提供することが出来る。
【図面の簡単な説明】
【図１】本発明の実施例１を示す電気湯沸かし器の全体構成を示す断面図
【図２】同電気湯沸かし器の電動ポンプ用のスイッチが作動状態を示す要部断面図
【図３】同電気湯沸かし器の加圧ポンプの作動時の要部断面図
【図４】本発明の実施例２を示す電気湯沸かし器の要部分解斜視図
【図５】同電気湯沸かし器の要部断面図
【図６】本発明の実施例３を示す電気湯沸かし器の要部分解斜視図
【図７】本発明の参考例１を示す電気湯沸かし器の要部分解斜視図
【図８】本発明の参考例２を示す電気湯沸かし器の要部分解斜視図
【図９】同電気湯沸かし器の要部断面図
【図１０】本発明の参考例３を示す電気湯沸かし器の要部分解斜視図
【図１１】従来例の電気湯沸かし器の全体構成を示す断面図
【図１２】同電気湯沸かし器の外観斜視図
【符号の説明】
１  容器
３  ヒータ（加熱装置）
７  本体
１２  電動ポンプ
１３  導水管
３０  制御基板（制御部）
４０  蓋
４７  加圧ポンプ（加圧装置）
５１  逆止弁
５３  通気弁
５６  押し板
５９  アーム（伝達手段）
６０  マイクロスイッチ（スイッチ）
９３  接点（第１の電気接点）
９７  受け端子（第２の電気接点）
１００  磁石部
１０３  磁気変換部
１１２  遮光部（光制御部）
１１３  発光ダイオード
１１４  受光ダイオード
１２２  変調部
１２５  静電容量部
【図１】
0003633570.tif 000002
【図２】
0003633570.tif 000003
【図３】
0003633570.tif 000004
【図４】
0003633570.tif 000005
【図５】
0003633570.tif 000006
【図６】
0003633570.tif 000007
【図７】
0003633570.tif 000008
【図８】
0003633570.tif 000009
【図９】
0003633570.tif 000010
【図１０】
0003633570.tif 000011
【図１１】
0003633570.tif 000012
【図１２】
0003633570.tif 000013